(57)【要約】      （修正有）【課題】  ディスクカートリッジの安定した装着状体を実現する。【解決手段】  ディスクカートリッジの挿脱される方向に延長するガイド部９１，９２が設けられたカートリッジホルダ４と、カートリッジホルダ４のガイド部９１，９２に沿って移動する係合部材１０８，１０９，１１０と、挿入されるディスクカートリッジに当接される当接部１１３と、ディスクカートリッジのホルダ４への挿入方向と交差する方向に延びる係合案内部１１を設けた移動体５と、カートリッジホルダの後方側に回動支点を有し、一方の端部に係合案内部１１１に挿入される係合部８７を有し、他方の端部にスイッチ操作部８５を有し、係合部８７を係合案内部１１１に係合させたとき、移動体をカートリッジホルダ４の前方側に移動させる弾性偏倚力を付与するアーム部８３とを備え、カートリッジホルダが再生部に近接したとき、アーム部８３の係合部８７と係合案内部１１１との係合を解除する。【選択図】  図５
2006120314.tif 000002
【特許請求の範囲】
【請求項１】
ディスクテーブルとピックアップ装置を有する再生部を設けたシャーシと、
ディスクを回転可能に収納したディスクカートリッジが挿脱されるとともに、上記ディスクの再生時に上記再生部に近接し、上記ディスクカートリッジの挿脱の際、上記再生部から離間する方向に移動し、上記ディスクカートリッジの挿脱される方向に延長するガイド部が設けられたカートリッジホルダと、
上記カートリッジホルダに挿入され、上記カートリッジホルダの上記ガイド部に係合され、上記ガイド部に沿って移動する係合部材と、上記カートリッジホルダに挿入される上記ディスクカートリッジに当接される当接部と、ディスクカートリッジの上記カートリッジホルダへの挿入方向と交差する方向に延びる係合案内部を設けた移動体と、
上記カートリッジホルダの後方側に回動支点を有し、一方の端部に上記係合案内部に挿入される係合部を有し、他方の端部にスイッチ操作部を有し、上記係合部を上記係合案内部に係合させたとき、上記移動体を上記カートリッジホルダの前方側に移動させる弾性偏倚力を付与するアーム部とを備えたことを特徴とするディスクプレーヤ。
【請求項２】
上記カートリッジホルダが上記再生部に近接したとき、上記アーム部の係合部と上記係合案内部との係合を解除するようにしたことを特徴とする請求項１記載のディスクプレーヤ。
【発明の詳細な説明】
【技術分野】
【０００１】
本発明は、ディスクカートリッジが挿入保持されるカートリッジホルダを移動操作してディスクカートリッジの再生部に対する装脱を行うようにしたディスクプレーヤに関する。
【背景技術】
【０００２】
従来、光ディスクや光磁気ディスクの如き情報信号の記録媒体となる記録ディスクが用いられている。このような記録ディスクに対する情報信号の記録又は再生を行うディスクプレーヤが用いられている。このようなディスクプレーヤには、記録ディスクを収納したディスクカートリッジをローディングするためのディスクローディング装置が設けられている。
【０００３】
このディスクローディング装置は、前方側より挿入されたディスクカートリッジを保持するカートリッジホルダを備えている。このカートリッジホルダは、挿入保持されるディスクカートリッジに対応した大きさの筐体として形成され、少なくとも下面部及び前面部が開放されている。このカートリッジホルダは、前面部がディスクカートリッジが挿入操作される側となされ、下面部がディスクカートリッジをディスクプレーヤの光学ピックアップ装置等を有する再生部に臨ませる側とされている。
【０００４】
また、ディスクローディング装置に設けられるカートリッジホルダは、ディスクプレーヤ内で水平方向及び上下方向に移動可能に支持されている。すなわち、カートリッジホルダは、ディスクローディング装置の前方側に位置し上昇された状態において、ディスクカートリッジの挿入及び取り出し操作が行われる。そして、カートリッジホルダは、ディスクカートリッジが挿入されると、後方側に移動操作され、ディスクプレーヤの上方位置に至る。次に、このカートリッジホルダは、下降操作されて、保持しているディスクカートリッジを再生部に装着させる。
【発明の開示】
【発明が解決しようとする課題】
【０００５】
ところで、記録ディスクを収納したディスクカートリッジをカセットホルダを用いてプレーヤ内の再生位置にローディングするためにカートリッジホルダを用いるディスクプレーヤにおいては、ディスクカートリッジが挿入保持されたカートリッジホルダを安定した状態で、メカシャーシに設けた再生部に近接又は離間させることが望ましい。
【０００６】
また、カートリッジホルダへ挿入されたディスクカートリッジは、安定した状態で再生部に装着された状態を維持することが望ましい。
【０００７】
そこで、本発明は、上述の実情に鑑みて提案されるものであって、カートリッジホルダに挿入保持したディスクカートリッジあ再生部に装着されたとき、ディスクカートリッジに不要な負荷が加わることを防止し、安定した状態でディスクカートリッジを再生部に装着できるディスクプレーヤを提供することを目的とする。
【課題を解決するための手段】
【０００８】
本発明に係るディスクプレーヤは、ディスクテーブルとピックアップ装置を有する再生部を設けたシャーシと、ディスクを回転可能に収納したディスクカートリッジが挿脱されるとともに、上記ディスクの再生時に上記再生部に近接し、上記ディスクカートリッジの挿脱の際、上記再生部から離間する方向に移動し、上記ディスクカートリッジの挿脱される方向に延長するガイド部が設けられたカートリッジホルダと、上記カートリッジホルダに挿入され、上記カートリッジホルダの上記ガイド部に係合され、上記ガイド部に沿って移動する係合部材と、上記カートリッジホルダに挿入されるディスクカートリッジに当接される当接部と、ディスクカートリッジの上記カートリッジホルダへの挿入方向と交差する方向に延びる係合案内部を設けた移動体と、上記カートリッジホルダの後方側に回動支点を有し、一方の端部に上記係合案内部に挿入される係合部を有し、他方の端部にスイッチ操作部を有し、上記係合部を上記係合案内部に係合させたとき、上記移動体を上記カートリッジホルダの前方側に移動させる弾性偏倚力を付与するアーム部とを備えたことを特徴とする。
【発明の効果】
【０００９】
本発明に係るディスクプレーヤは、カートリッジホルダに挿入されるディスクカートリッジにより回動操作され、ディスクカートリッジがカートリッジホルダに挿入されたとき、移動体をカートリッジホルダの前方側に移動させる弾性偏倚力を付与するアーム部と移動体との係合を解除することにより、ディスクカートリッジに付与される負荷が解除され、再生部への安定した装着が実現される。
【発明を実施するための最良の形態】
【００１０】
以下、本発明の具体的な実施の形態を図面を参照しながら説明する。
【００１１】
この例は、本発明を、光磁気ディスクや光ディスク等のディスクを記録媒体に用いる記録及び／又は再生装置であるディスクプレーヤを構成するディスクローディング装置に適用した例である。
【００１２】
以下、次の順序で説明する。
［１］ディスクカートリッジ
［２］ディスクローディング装置
（２−１）メインフレーム及びメカシャーシ
（２−２）カートリッジホルダ
（２−３）移動操作機構
［３］ディスクローディング装置の動作
（３−１）初期状態
（３−２）ディスクカートリッジの挿入操作
（３−３）ディスクカートリッジの搬入動作
（３−４）ディスクカートリッジのチャッキング動作
（３−５）ディスクカートリッジのチャッキング解除動作
（３−６）ディスクカートリッジの排出動作
［４］他の実施例
【００１３】
［１］ディスクカートリッジ
このディスクプレーヤに情報記録媒体として用いられる光磁気ディスクは、直径を６４ｍｍとするポリカーボネイトの如き透明合成樹脂材料よりなるディスク基板に、磁性材料からなる信号記録層を被着して形成されている。この信号記録層は、集光されたレーザビームの照射等の手段により局所的にいわゆるキュリー温度以上に加熱され、この加熱された部分に外部磁界が印加されることにより、情報信号の書き込みが行われる。このように書き込まれた情報信号は、信号記録層にレーザビームを照射し、このレーザビームの反射光束を検出することにより読み出される。
【００１４】
また、光ディスクは、光磁気ディスクのディスク基板と同様のディスク基板に、アルミニウムの如き金属材料よりなる反射層を形成して構成されている。この光ディスクは、ディスク基板に、射出成形等の手段により微細なピット列を形成して情報信号が記録されている。この光ディスクに記録されている情報信号は、ピット列にレーザビームを照射し、このレーザビームの反射光束を検出することにより読み出される。
【００１５】
そして、光磁気ディスク及び光ディスクは、図２２及至図２５に示すように、カートリッジ２０５，２１６に回転可能に収納されて、ディスクカートリッジを構成している。光磁気ディスクを収納した記録再生型のディスクカートリッジ２２０を構成するカートリッジ２０５は、一辺の長さを光磁気ディスクの直径に対応した矩形状の平面部を有する薄い筐体状に形成されている。このカートリッジ２０５は、図２２に示すように、上面側に、光磁気ディスクの信号記録面の一部を外方に臨ませるための磁気ヘッド用開口部２２３が設けられている。このカートリッジ２０５は、図２４に示すように、下面側の磁気ヘッド用開口部２２３に対向する位置に光学ピックアップ用開口部２２２が設けられ、この下面側の中央部分にチャッキング用開口部２１３が設けられている。この記録再生型のディスクカートリッジ２２０は、ディスクプレーヤに対して、図２２及び図２４中矢印Ｃで示す前方に挿入されて装着される。
【００１６】
記録再生型のディスクカートリッジ２２０のカートリッジ２０５において、磁気ヘッド用開口部２２３及び光学ピックアップ用開口部２２２は、シャッタ部材２０６によって開閉される。シャッタ部材２０６は、これら開口部２２３，２２２に対応した大きさを有する一対のシャッタ板と、これらシャッタ板の一端側を連結する連結部とを有し、合成樹脂材料又は金属材料により一体に形成されている。このシャッタ部材２０６は、連結部をカートリッジ２０５の一側部に形成された支持溝２０７に、図２２及び図２４中矢印Ｚ方向に摺動可能に支持されている。すなわち、シャッタ部材２０６は、カートリッジ２０５の一側部に沿って後方にスライドされることにより各開口部２２３，２２２を開放し、後方側より前方にスライドされて初期位置に復帰されると各シャッタ板により各開口部２２３，２２２を閉塞する。
【００１７】
そして、光ディスクを収納した再生専用型のディスクカートリッジ２２１を構成するカートリッジ２１６は、一辺の長さが光ディスクの直径に対応した矩形状の平面部を有する薄い筐体状に形成されている。このカートリッジ２１６は、図２３に示すように、上面側には開口部が形成されていない。このカートリッジ２１６は、図２５に示すように、下面側に光学ピックアップ用開口部２２２を有し、この下面側の中央部分にチャッキング用開口部２１３が形成されている。この再生専用型のディスクカートリッジ２２１は、ディスクプレーヤに対して、図２３及び図２５中矢印Ｃ方向の前方に挿入されて装着される。
【００１８】
再生専用型のディスクカートリッジ２２１のカートリッジ２１６において、光学ピックアップ用開口部２２２は、シャッタ部材２１７によって開閉される。このシャッタ部材２１７は、光学ピックアップ用開口部２２２に対応したシャッタ板と、このシャッタ板の一端側に設けられた支持部とを有し、合成樹脂材料又は金属材料により一体に形成されている。このシャッタ部材２１７は、支持部をカートリッジ２１６の一側部に形成された支持溝２０７に支持させて図２３及び図２５中矢印Ｚ方向に摺動可能に支持されている。すなわち、シャッタ部材２１７は、カートリッジ２１６の一側部に沿って後方にスライドされることにより光学ピックアップ用開口部２２２を開放し、後方側より前方にスライドされて初期位置に復帰されるとシャッタ板により光学ピックアップ用開口部２２２を閉塞する。
【００１９】
各シャッタ部材２０６，２１７には、連結部又は支持部の中央位置に、側方に向けて、シャッタ閉蓋孔２０８が開設されている。このシャッタ閉蓋孔２０８は、ディスクプレーヤにおいて各シャッタ部材２０６，２１７を閉蓋操作するための部材が係合するためのものである。
【００２０】
光磁気ディスク及び光ディスクの中心部には、円形のチャッキング孔２０４が開設されている。このチャッキング孔２０４は、上面側より、チャッキングプレート２０２により閉塞されている。このチャッキングプレート２０２は、鉄やステンレスの如き、磁性を有する金属材料により、チャッキング孔２０４に対応した直径を有する円盤状に形成されている。これらチャッキング孔２０４及びチャッキングプレート２０２は、チャッキング用開口部２１３を介して、各カートリッジ２０５，２１６の外方に臨んでいる。
【００２１】
そして、各カートリッジ２０５，２１６の下面側には、対をなす前方側及び後方側位置決め穴２０９，２１０が形成されている。前方側位置決め穴２０９は、光学ピックアップ用開口部２２２の前方側の平面部の縁部近傍に位置し、長径方向を前後方向とした長円形に形成されている。また、後方側位置決め穴２１０は、光学ピックアップ用開口部２２２の後方側の平面部の縁部近傍に位置して円形に形成されている。
【００２２】
また、各カートリッジ２０５，２１６の下面側の後方側の他側の縁部近傍には、複数の識別用穴２２４が形成されている。これら識別用穴２２４は、これらカートリッジ２０５，２１６が収納しているディスクの種別や状態、例えば情報信号の記録が可能か否かを識別するためのものである。記録再生型ディスクカートリッジ２２０のカートリッジ２０５内には、識別用穴２２４に対応して、後側面部にセーブノッチ２１４が設けられている。このセーブノッチ２１４は、移動操作されることにより、識別用穴２２４のうちの一の内部に進退し、この識別用穴２２４の深さを変えて、情報信号の記録可否の識別状態を切り換える。
【００２３】
さらに、これら各カートリッジ２０５，２１６の下面側の前方側に位置する両側の縁部には、一対の被係合凹部２１２，２１２が形成されている。また、カートリッジ２０５，２１６の他側には、支持溝２０７に対向するようにして挿入ガイド溝２２５が形成されている。
【００２４】
記録再生型のディスクカートリッジ２２０のカートリッジ２０５には、下面側の前方側縁部に、光磁気ディスク識別凹部２１１が形成されている。また、再生専用型のディスクカートリッジ２２１のカートリッジ２１６には、下面側の前方側縁部に、光ディスクディスク識別凹部２１８が形成されている。これら光磁気ディスク識別凹部２１１と光ディスク識別凹部２１８とは、互いに下面側よりの深さが異なっており、この深さの違いにより、収納されているディスクが光磁気ディスクか光ディスクかを識別できるようになされている。
【００２５】
［２］ディスクローディング装置
（２−１）メインフレーム及びメカシャーシ
本発明が適用されたディスクローディング装置は、図１及び図２に示すように、メインフレーム２を備えている。このメインフレーム２は、金属板の如き材料により、底板部及びこの底板部の両側より屈曲形成された左右一対の側壁部３７，３８とを有しいる。このメインフレーム２には、各側壁部３７，３８の上縁部間に亘って天板３が取り付けられている。この天板３は、平板状に形成され、各隅部にネジ孔１２３が形成されている。天板３は、各ネジ孔１２３に挿通された止めネジ１２２が各側壁部３７，３８の上縁部に設けられたネジ止め片３９，４０，４１，４２のネジ孔に螺合されることにより、メインフレーム２に取り付けられる。各ネジ止め用片３９，４０，４１，４２は、各側壁部３７，３８の上縁部に設けられた突片が互いに対向する内側に向かって水平となるように屈曲されてている。
【００２６】
そして、メインフレーム２の各側壁部３７，３８間には、メカシャーシ１が配設されている。このメカシャーシ１は、平板状に形成され、左側の側縁部に、側方に向かって突設された前後一対の支軸１５，１６を有し、右側の側縁部の略々中央に側方に向かって突設された支軸１７を有している。これら支軸１５，１６，１７には、振動吸収部材であるダンパ部材１８，１９、２０が嵌装されている。これらダンパ部材１８，１９，２０は、ブチルゴムの如き可撓性を有する材料により円筒状に形成されている。これらダンパ部材１８，１９，２０は、側壁部３７，３８に形成された切り欠き部３４，３５，３６に嵌合されている。これら切り欠き部３４，３５，３６は、上方側に開放されており、天板３の両側縁部より垂下された舌片部１２５，１２５，１２５により、それぞれ上方側を閉塞されている。すなわち、各ダンパ部材１８，１９，２０は、各切り欠き部３４，３５，３６の内縁部及び各舌片部１２５，１２５，１２５の下端部によって、外周面部が保持されている。メカシャーシ１は、各ダンパ部材１８，１９，２０を介して、メインフレーム２に対し、いわゆるフローティング支持されている。メカシャーシ１は、いわゆるフローティング支持されていることにより、メインフレーム２に外方より伝幡する振動や衝撃が伝幡されないようにされている。
【００２７】
メカシャーシ１上には、光磁気ディスク又は光ディスクよりの情報信号の読み出しを行う記録再生部が配設されている。この再生部は、ディスクテーブル１２及び光学ピックアップ装置１３を有している。
【００２８】
ディスクテーブル１２は、メカシャーシ１の下面部に取り付けられたスピンドルモータのメカシャーシ１の上面側に突出された駆動軸に取り付けられている。このディスクテーブル１２は、円盤状に形成され、チャッキング用開口部２１３を介して各カートリッジ２０５，２１６内に進入して、各ディスクのチャッキング孔２０４に嵌合するように形成されている。このディスクテーブル１２は、チャッキング孔２０４に嵌合すると、ディスクを位置決めして保持する。
【００２９】
光学ピックアップ装置１３は、半導体レーザの如き光源、この光源の発する光束を導いてディスク上に集光させるための光学デバイス、及びディスクよりの反射光束を検出するための光検出器等を有し、ディスクテーブル１２に保持されたディスクよりの情報信号の読み出しを行う。この光学ピックアップ装置１３は、メカシャーシ１上を、ディスクテーブル１２に対し接離する方向に移動可能とされている。
【００３０】
また、メカシャーシ１上には、一対の位置決めピン８，９及び一対の高さ決め突起１０，１１が突設されている。各位置決めピン８，９は、上端側がテーパ状に縮径されたピンであって、前方側及び後方側位置決め穴２０９，２１０に嵌合して、カートリッジ２０５，２１６のメカシャーシ１に対する位置決めを行う。各高さ決め突起１０，１１は、カートリッジ２０５，２１６の下面部に先端部を当接させて、カートリッジ２０５，２１６のメカシャーシ１に対する高さ位置を決定する。
【００３１】
この記録再生部においては、カートリッジ２０５，２１６が各位置決めピン８，９及び各高さ決め突起１０，１１により位置決めされ、光磁気ディスク又は光ディスクがディスクテーブル１２に保持されることにより、これらディスクは、カートリッジ２０５，２１６内において回転操作される。そして、光学ピックアップ装置１３は、カートリッジ２０５，２１６内で回転操作されるディスクよりの情報信号の読み出しを行う。
【００３２】
（２−２）カートリッジホルダ
メカシャーシ１の上方側には、カートリッジホルダ４が配設されている。このカートリッジホルダ４は、カートリッジ２０５，２１６の平面部の大きさに対応した平板状に形成され、メカシャーシ１に対して、回動フレーム７を介して支持されている。回動フレーム７は、一対の平行なアーム部５８，５９とこれらアーム部５８，５９の後端部間を連結させる後板部６０とを有し、全体でコ字状に形成されている。この回動フレーム７は、金属板の如き材料により一体に形成されている。回動アーム７は、各アーム部５８，５９の中途部をメカシャーシ１の両側に側方に向けて突設された一対の支軸２４，２５に支持することによって、これら支軸２４，２５を中心にして回動可能に支持されている。すなわち、これらアーム部５８，５９の前端側には、支持凹部５４，５５が形成されている。これら支持凹部５４，５５には、カートリッジホルダ４の両側の略々中央に側方に向けて突設された支持突起９８，９９が嵌合されている。そして、回動フレーム７は、各支軸２４，２５を中心に回動されることにより、カートリッジホルダ４を、メカシャーシ１に対して接離する上下方向に移動操作する。
【００３３】
回動フレーム７は、各アーム部５８，５９の前端側に形成されたバネ係止部５０，５１とメカシャーシ１の側方部の略々中央に設けられたバネ係止片２３，２３との間にそれぞれ対応して張架された一対の引っ張りコイルバネ５２，５３により、図１中矢印Ｅ方向のカートリッジホルダ４を降下させてメカシャーシ１に接近させる方向に回動付勢されている。
【００３４】
また、メカシャーシ１の両側には、回動フレーム７の各アーム部５８，５９の前端部側に位置して、一対のロックアーム４４，４４が回動可能に取り付けられている。これらロックアーム４４，４４は、中央部に支持孔４５，４５を有し、これら支持孔４５，４５にメカシャーシ１の両側より側方に向けて突設された一対の支軸２１，２２を挿通させている。これらロックアーム４４，４４は、後端側に係合溝４６，４６を有しており、この係合溝４６，４６をカートリッジホルダ４の支持突起９８，９９に係合させている。そして、これらロックアーム４４，４４の前端側は、メインフレーム２に当接されるための当接部とされている。
【００３５】
このディスクローディング装置においては、回動フレーム７がカートリッジホルダ４をメカシャーシ１より離間する図６中矢印Ｐ方向に移動させたときには、図６に示すように、カートリッジホルダ４が天板３に当接し、各ロックアーム４４，４４の当接部がメインフレーム２の底面部に当接し、さらに、回動フレーム７の後板部６０の下縁側の当接部１５１がメインフレーム２の底面部の後縁側に設けられた当接支持部４３に当接される。このとき、メカシャーシ１は、各ダンパ部材１８，１９，２０が変形することによるメインフレーム２に対する移動が阻止される。
【００３６】
そして、このディスクローディング装置においては、回動フレーム７がカートリッジホルダ４をメカシャーシ１に接近する図７中矢印Ｓ方向に移動させたときには、図７に示すように、カートリッジホルダ４が天板３より離間し、各ロックアーム４４，４４の当接部がメインフレーム２の底面部より離間し、さらに、回動フレーム７の当接部１５１が当接支持部４３より離間する。このとき、メカシャーシ１は、各ダンパ部材１８，１９，２０が変形することによるメインフレーム２に対する移動が可能となっている。
【００３７】
カートリッジホルダ４は、両側部分が、下方側に鈎状に屈曲して形成されてカートリッジ保持部８９，９０を構成している。このカートリッジ保持部８９，９０は、図１中矢印Ｃ方向に前方側よりディスクカートリッジ２２０，２２１が挿入操作されると、このディスクカートリッジ２２０，２２１の両側部分を保持する。このとき、ディスクカートリッジ２２０，２２１は、カートリッジホルダ４に対して、前後方向に移動可能とされて保持されている。
【００３８】
カートリッジホルダ４は、このカートリッジホルダ４の天板部とディスクカートリッジ２２０，２２１の平面部とが重なる位置までディスクカートリッジ２２０，２２１が挿入操作され、回動フレーム７によりメカシャーシ１側に移動されると、このディスクカートリッジ２２０，２２１をメカシャーシ１上の再生部に装着させる。このカートリッジホルダ４は、天板部の四隅に、下方側に突出された押さえ突起９４，９５，９６，９７を有している。カートリッジホルダ４は、各押さえ突起９４，９５，９６，９７をカートリッジ２０５，２１６の四隅に当接させて、一対の引っ張りコイルバネ５２，５３の付勢力により、ディスクカートリッジ２２０，２２１をメカシャーシ１側に押圧支持する。
【００３９】
また、カートリッジホルダ４には、ディスクカートリッジ２２０，２２１のシャッタ部材２０６，２１７の開閉を行う機構が設けられている。すなわち、カートリッジ保持部９０内には、シャッタ開放操作部材としてのシャッタ開放操作爪１０５が内方側に向けて突設されている。このシャッタ開放操作爪１０５は、このカートリッジホルダ４に対してディスクカートリッジ２２０，２２１が挿入されると、支持溝２０７内にカートリッジ２０５，２１６の前端側より進入し、シャッタ部材２０６，２１７の前端部に当接して、このシャッタ部材２０６，２１７のカートリッジホルダ４に対する移動を規制することにより、ディスクカートリッジ２２０，２２１に対しシャッタ部材２０６，２１７を相対移動させ、磁気ヘッド用開口部２２３、光学ピックアップ用開口部２２２を開放する。
【００４０】
そして、カートリッジホルダ４の外側の側面には、シャッタ閉蓋部材であるシャッタ閉蓋バネ１００が、止めビス１０４，１０４により取り付けられている。このシャッタ閉蓋バネ１００は、一端側がカートリッジホルダ４の内側に湾曲された係合部１０２とされている。この係合部１０２は、カートリッジホルダ４の側部に設けられた開口部１０３を介して、カートリッジホルダ４内に進入している。この係合部１０２は、カートリッジホルダ４に対してディスクカートリッジ２２０，２２１が挿入されると、シャッタ部材２０６，２１７のシャッタ閉蓋孔２０８に係合する。この係合部１０２は、ディスクカートリッジ２２０，２２１がカートリッジホルダ４の前方側に排出されるとき、シャッタ部材２０６，２１７のカートリッジホルダ４に対する移動を停止させることにより、ディスクカートリッジ２２０，２２１に対しシャッタ部材２０６，２１７を相対移動させ、磁気ヘッド用開口部２２３、光学ピックアップ用開口部２２２を閉塞する。
【００４１】
そして、カートリッジホルダ４の下面部には、カートリッジ移動板５が前後方向に移動可能に取り付けられている。このカートリッジ移動板５は、カートリッジホルダ４の幅とほぼ同様の幅を有する平板状に形成されており、上面部に、係合部材としての係合ピン１０８，１０９，１１０が設けられている。このカートリッジ移動板５は、各係合ピン１０８，１０９，１１０をカートリッジホルダ４に形成されたガイド部としての一対のガイド孔９１，９２に挿通係合させ、このカートリッジホルダ４に対して前後方向に移動に支持されている。一対のガイド孔９１，９２は、係合ピン１０８，１０９，１１０の移動をガイドする孔であって互いに平行とされて前後方向に亘って形成され、一方のガイド孔９１に一つの係合ピン１０８が挿通係合され、他方のガイド孔９２に二つの係合ピン１０９，１１０が挿通係合される。このカートリッジ移動板５は、カートリッジホルダ４にディスクカートリッジ２２０，２２１が挿入操作されるとき、カートリッジホルダ４の天板部とディスクカートリッジ２２０，２２１との間に位置される。
【００４２】
カートリッジ移動板５の後縁側は、下方側に屈曲されて後壁部１３９を形成するとともに、さらに後方側に鈎状に屈曲されて、係合案内部となる被係合溝１１１を形成している。後壁部１３９は、カートリッジホルダ４にディスクカートリッジ２２０，２２１が挿入操作されたとき、このディスクカートリッジ２２０，２２１の前端部が当接され、このディスクカートリッジ２２０，２２１の位置決めを行うものである。すなわち、被係合溝１１１は、アーム部である後述するローディングアーム８３の係合部８７が接離可能に挿入係合する係合案内部を構成する部分である。
【００４３】
そして、カートリッジ移動板５とカートリッジホルダ４とに係合して、トーションバネ１０７が設けられている。このトーションバネ１０７は、一方のアーム部をカートリッジホルダ４の上面部にガイド孔９２の中央部の近傍に位置して突設されたバネ係止片９３に係止させ、他方のアーム部をカートリッジ移動板５の上面部に突設されてガイド孔９２を介して上方側に突出されたバネ係止片１４４に係止されている。このトーションバネ１０７は、各バネ係止片９３，１４４間を離間させる方向の弾性力を有している。したがって、トーションバネ１０７は、カートリッジ移動板５が、各バネ係止片９３，１４４間が最も接近するカートリッジホルダ４の中央位置よりも前方側に位置しているときには、カートリッジ移動板５を、図１、図２中矢印Ａ方向の前方に移動付勢する。また、トーションバネ１０７は、カートリッジ移動板５が、カートリッジホルダ４の中央位置よりも後方側に位置しているときには、カートリッジ移動板５を図１、図４中矢印Ｂ方向の後方に移動付勢する。
【００４４】
カートリッジ移動板５の下面側には、図１及び図１８に示すように、このカートリッジ移動板５に対して回動可能とされてホールド板６が取り付けられている。このホールド板６は、カートリッジ移動板５とともにカートリッジホルダ４に挿入されるディスクカートリッジ２２０，２２１によって移動操作される移動体を構成するものであって、カートリッジ移動板５と同様の大きさを有する平板状に形成されており、後縁側部分１１８，１２１を介してカートリッジ移動板５の後縁側部分に対して回動可能に支持されている。このホールド板６は、初期状態においてカートリッジ移動板５に対してディスクカートリッジ２２０，２２１の厚みに対応する距離を隔て、図１９及び図２０に示すように、カートリッジホルダ４にディスクカートリッジ２２０，２２１が挿入操作されたとき、このディスクカートリッジ２２０，２２１の下方側に位置する。このホールド板６は、カートリッジ移動板５より離間する下方に回動可能であるとともに、捻りコイルバネ１１５により、カートリッジ移動板５に接近する方向の図１８中矢印Ｄ方向に回動付勢されて初期位置に位置決めされている。
【００４５】
ホールド板６は、両端側部分の上面部に、一対の保持突起１１７，１１７が形成されている。これら保持突起１１７，１１７は、ホールド板６上にディスクカートリッジ２２０，２２１が挿入されると、図２０に示すように、カートリッジ２０５，２１６の下面側に形成された一対の被係合凹部２１２，２１２に係合する。ホールド板６は、このように、各保持突起１１７，１１７を各被係合凹部２１２，２１２に係合させたときには、初期位置に復帰してディスクカートリッジ２２０，２２１を保持している。
【００４６】
カートリッジ移動板５及びホールド板６は、カートリッジホルダ４の前方側に位置している状態で、ディスクカートリッジ２２０，２２１を保持し、このカートリッジホルダ４の後方側に移動されることにより、保持しているディスクカートリッジ２２０，２２１をカートリッジホルダ４内に、すなわち、メカシャーシ１上となる位置に移動する。また、カートリッジ移動板５及びホールド板６は、カートリッジホルダ４の後方側でディスクカートリッジ２２０，２２１を保持しているときに、カートリッジホルダ４の前方側に移動することにより、ディスクカートリッジ２２０，２２１をカートリッジホルダ４より排出する。
【００４７】
ホールド板６には、支軸１１８より後方側に位置して、誤挿入阻止爪１１９が設けられている。この誤挿入阻止爪１１９は、後端部の上縁側が鋭角な角部を有する当接部１４０とされている。この当接部１４０は、カートリッジ移動板５がカートリッジホルダ４の前方側に位置しているときに、このカートリッジホルダ４の天板部に形成された当接用透孔１０６に対応する位置となる。この誤挿入阻止爪１１９は、ホールド板６が初期位置にあるときには、図２０中に矢印Ｗで示すように、カートリッジホルダ４の天板部に接触することなく当接用透孔１０６の下方を通過する。
【００４８】
そして、誤挿入阻止爪１１９は、図２１に示すように、ホールド板６が、ディスクカートリッジ２２０，２２１の誤挿入により、図２１中矢印Ｕ方向の下方側に回動されているときには、当接部１４０を当接用透孔１０６内に進入させる。このように当接部１４０が当接用透孔１０６内に進入しているときには、カートリッジ移動板５を後方側に移動させようとしても、当接部１４０が当接用透孔１０６の後縁部に当接するため、カートリッジ移動板５は後方側に移動されない。
【００４９】
なお、ディスクカートリッジ２２０，２２１の誤挿入とは、図２１に示すように、各被係合凹部２１２，２１２の設けられた下面側を上方側に位置させて挿入してしまうことや、カートリッジ２０５，２１６の側面や後面側を前方側として挿入してしまうことである。
【００５０】
（２−３）移動操作機構
そして、メカシャーシ１の後方側部分には、ディスクカートリッジ２２０，２２１のメカシャーシ１上までの搬入及びディスクカートリッジ２２０，２２１のメカシャーシ１上よりの排出を行う、すなわち、カートリッジ移動板５を移動操作するための移動操作機構が配設されている。
【００５１】
この移動操作機構は、図１、図２及び図８に示すように、メカシャーシ１の後方部に配設された回転駆動手段となるモータ６４を備えている。このモータ６４の駆動軸には、ウォームギヤ６５が取り付けられている。ウォームギヤ６５は、メカシャーシ１に植設された支軸３０により回転可能に支持されたウォームホイール６９に噛合している。ウォームホイール６９には、平ギヤである第１の伝達ギヤ７０が同軸に一体的に形成されている。この第１の伝達ギヤ７０は、メカシャーシ１に植設された支軸２９により回転可能に支持された平ギヤである第２の伝達ギヤ７１に噛合している。
【００５２】
第２の伝達ギヤ７１を支持する支軸２９には、図１７に示すように、回動アーム１３６の基端側部分が回動可能に取り付けられている。すなわち、回動アーム１３６は、基端側に設けられた支持孔１３８に支軸２９を挿通させている。この回動アーム１３６と第２の伝達ギヤ７１との間には、摩擦部材１３７が介在配設されている。すなわち、回動アーム１３６は、第２の伝達ギヤ７１の回転方向に追従する方向に回動操作される。第２の伝達ギヤ７１が図８及び図１７中矢印Ｘ１方向に回転すると、回動アーム１３６は、図８及び図１７中矢印Ｘ２方向に回動される。また、第２の伝達ギヤ７１が図８及び図１７中矢印Ｙ１方向に回転すると、回動アーム１３６は、図８及び図１７中矢印Ｙ２方向に回動される。
【００５３】
回動アーム１３６の先端側には、支軸７３を介して、本発明を構成する伝達ギヤである第３の伝達ギヤ７２が回転可能に取り付けられている。この第３の伝達ギヤ７２は、第２の伝達ギヤ７１に噛合している。
【００５４】
そして、メカシャーシ１上には、このメカシャーシ１に植設された支軸２７を介して、ローディング動作伝達部材となるカムギヤ６１が回転可能に取り付けられている。このカムギヤ６１は、図１４に示すように、支軸２７が嵌合する支持孔１２９に対して同軸である第１のギヤ部であるギヤ部１２７及びフランジ部１３１を有して一体的に形成されている。ギヤ部１２７は、所定の角度範囲に亘る第１の欠歯部１３０を有している。また、フランジ部１３１は、所定角度範囲に亘る欠損部を有している。フランジ部１３１のギヤ部１２７に臨む下面部には、第１の係合部となる第１の係合溝部１２８が形成されている。この第１の係合溝部１２８は、支持孔１２９回りの円弧状に形成され、欠損部の一方側の部分がこの欠損部に向けて開放され、該欠損部の他方側の部分が閉塞端とされている。
【００５５】
カムギヤ６１のギヤ部１２７には、メカシャーシ１に植設された支軸２８を介して、第４の伝達ギヤ６３が噛合している。この第４の伝達ギヤ６３には、回動アーム１３６が図８及至図１３中矢印Ｙ２方向に回動されたときに、第３の伝達ギヤ７２が噛合する。第３の伝達ギヤ７２が第４の伝達ギヤ６３に噛合している状態においては、第１の係合溝部１２８には、図８及至図１０に示すように、第３の伝達ギヤ７２を支持している支軸７３の先端側が係合する。
【００５６】
カムギヤ６１は、第１の付勢部材となる図示しない捻りコイルバネにより、第１の係合溝部１２８に係合している支軸７３がこの第１の係合溝部１２８の上記欠損部への開放端部より抜け出す方向の図１、図２及び図８中に矢印Ｇ方向に回動付勢されている。
【００５７】
カムギヤ６１は、上面側の主面部に、操作ピン６２が設けられている。この操作ピン６２は、メカシャーシ１上に回動可能に支持された第１のアーム部材であり搬入アームを構成する扇形状板７９に設けられたカムスリット８１に挿通されている。この扇形状板７９は、扇の要に相当する位置に支持孔８０を有し、この支持孔８０に、メカシャーシ１上に植設された支柱２０ａの先端側に支軸２６を挿通させて、回動可能に支持されている。カムスリット８１は、支持孔８０の近傍部より、扇の周縁の近傍部に亘って直線状に形成されている。また、扇形状板７９は、ガイドスリット８２を有している。このガイドスリット８２は、支持孔８０回りに円弧状に形成されている。この扇形状板７９は、カムギヤ６１が回動することにより、操作ピン６２を介して回動操作される。
【００５８】
また、支軸２６には、第２のアーム部材であり搬入用のアーム部を構成するローディングアーム８３の基端側が回動可能に取り付けられている。このローディングアーム８３の基端側には、支軸２６が挿通される支持孔８４が形成されている。このローディングアーム８３の中途部には、扇形状板７９のガイドスリット８２に挿通係合されるガイドピン８６が設けられている。このローディングアーム８３は、扇形状板７９に対して、支持孔８０回りのガイドスリット８２の角度範囲に亘って回動可能である。このローディングアーム８３の先端側には、被係合溝１１１に接離可能に係合する係合部８７が設けられている。そして、このローディングアーム８３は、このローディングアーム８３と扇形状板７９とに各アーム部を係止させた捻りコイルバネであるリミッタバネ８８により、扇形状板７９に対して係合部８７を前方側に振り出す方向の図１及び図２中矢印Ｆ方向に回動付勢されている。
【００５９】
ローディングアーム８３の基端側には、メカシャーシ１上に配設された第１の検出スイッチ７７を操作するためのスイッチ操作部であるスイッチ操作突起８５が設けられている。このスイッチ操作突起８５は、上記ローディングアーム８３が係合部８７を後方側となす方向の図３中の矢印Ｊ及び図４中の矢印Ｌ方向に回動されたときに、第１の検出スイッチ７７を操作する。
【００６０】
そして、メカシャーシ１上には、チャッキング動作伝達部材となるスライダ７４が配設されている。このスライダ７４は、図１５及び図１６に示すように、棒状の部材として形成されており、一対の支持スリット７５，７６を有している。このスライダ７４は、各支持スリット７５，７６に、メカシャーシ１上に植設された一対の支軸３１，３２を挿通係合させることにより横方向に移動可能となっている。このスライダ７４には、回動アーム１３６が図８及至図１３中矢印Ｘ２方向に回動されたとき、第３の伝達ギヤ７２が噛合する第２のギヤ部であるラックギヤ部１３４が設けられている。このスライダ７４は、ラックギヤ部１３４の延長上に、第２の欠歯部１３５を有している。さらに、スライダ７４は、ラックギヤ部１３４に沿って庇部を有し、この庇部のラックギヤ部１３４に臨む下面部に、第２の係合部となる第２の係合溝部１３３が形成されている。この第２の係合溝部１３３は、ラックギヤ部１３４に平行な直線状に形成され、カムギヤ６１に臨む一方側が開放され他方側が閉塞端となされている。
【００６１】
第３の伝達ギヤ７２がラックギヤ部１３４に噛合している状態においては、第２の係合溝部１３３には、図１１及至図１３に示すように、第３の伝達ギヤ７２を支持している支軸７３の先端側が係合する。
【００６２】
スライダ７４は、このスライダ７４に設けられたバネ係止部１３２とメカシャーシ１上に突設されたバネ係止部３３との間に張架された第２の付勢部材となる引っ張りコイルバネ１２６により、上記第２の係合溝部１３３に係合している支軸７３がこの第２の係合溝部１３３の開放端部より抜け出す方向、すなわち、ラックギヤ部１３４を第２の欠歯部１３５の側に移動させる方向の図１、図２及び図８中に矢印Ｈ方向に移動付勢されている。
【００６３】
スライダ７４は、後面部を、回動フレーム７の後板部６０の前面部に対向させている。このスライダ７４の後面部には、一対の水平なカム突状部１４５，１４６が設けられている。これらカム突状１４５，１４６は、スライダ７４が引っ張りコイルバネ１２６の付勢力により移動された初期状態においては、後板部６０の前面部に植設された一対の倣いピン５６，５７の上方に位置してこれら倣いピン５６，５７を下方側に押し下げている。すなわち、スライダ７４は、初期位置においては、回動フレーム７を後板部６０がメカシャーシ１側に移動する方向の図６中矢印Ｏ方向に回動させている。
【００６４】
各カム突状１４５，１４６は、スライダ７４が引っ張りコイルバネ１２６の付勢力に抗して、図５中矢印Ｎ方向にに移動操作されると、各倣いピン５６，５７に摺接しつつ、これら倣いピン５６，５７の上方位置より退避する。すると、回動フレーム７は、一対の引っ張りコイルバネ５２，５３の付勢力により、後板部６０をメカシャーシ１より離間させカートリッジホルダ４をメカシャーシ１側に移動させる方向の図７中矢印Ｒ方向に回動させる。
【００６５】
また、スライダ７４が引っ張りコイルバネ１２６の付勢力に抗して一方側に移動操作されると、図５に示すように、メカシャーシ１上に配設された第２の検出スイッチ７８が、このスライダ７４により操作される。
【００６６】
そして、スライダ７４が引っ張りコイルバネ１２６の付勢力に抗して一方側に移動操作されたとき、各カム突状１４５，１４６は、ラックギヤ部１３４に対する第２の欠歯部１３５の側に相当する側である他方側の端部を各倣いピン５６，５７に対向させている。これらカム突状１４５，１４６は、他方側の端部が下方側に臨んだテーパ部１４７，１４８となされている。したがって、スライダ７４が他方側に移動されて初期位置に復帰されるときには、各カム突状１４５，１４６は、各倣いピン５６，５７に各テーパ部１４７，１４８を摺接させつつ、これら倣いピン５６，５７の上方側に進入して、これら倣いピン５６，５７を下方側に移動させる。
【００６７】
［３］ディスクローディング装置の動作
（３−１）初期状態
上述のように構成された本発明に係るディスクローディング装置は、初期状態において、図２、図６、図８及び図１８に示すように、カートリッジホルダ４の上方側に位置されて天板３に当接されている。回動フレーム７は、当接部１５１を当接支持部４３に当接させている。各ロックアーム４４，４４は、当接部をメインフレーム２の底面部の当接部１５０に当接させている。カートリッジ移動板５は、カートリッジホルダ４の前方側に位置し、トーションバネ１０７により、図２中矢印Ａ方向の前方側に付勢されている。ホールド板６は、図１８中矢印Ｄ方向の上方側に付勢され、カートリッジ移動板５との間の距離をディスクカートリッジ２２０，２２１の厚みに相当する距離としている。ローディングアーム８３は、係合部８７を被係合溝１１１内に進入させている。扇形状板７９は、カムギヤ６１により前方側に回動されている。第１及び第２の検出スイッチ７７，７８は、操作されていない。
【００６８】
カムギヤ６１は、捻りコイルバネにより、図８中矢印Ｇ方向に回動付勢され、第１の欠歯部１３０に臨むギヤ部１２７の端部を第４の伝達ギヤ６３に圧接させている。支軸７３は、第１の係合溝部１２８に係合しており、第３の伝達ギヤ７２を第４の伝達ギヤ６３に噛合させている。スライダ７４は、引っ張りコイルバネ１２６により図８中矢印Ｈ方向に移動付勢されている。
【００６９】
（３−２）ディスクカートリッジの挿入操作
カートリッジ移動板５とホールド板６との間にディスクカートリッジ２２０，２２１が挿入操作されると、図１９に示すように、まず、ホールド板６が下方側に回動される。そして、図２０に示すように、ディスクカートリッジ２２０，２２１が前端部を後壁部１３９に当接させるまで挿入されると、各被係合凹部２１２，２１２に各保持突起１１７，１１７が係合し、ホールド板６は初期位置に復帰する。
【００７０】
そして、ディスクカートリッジ２２０，２２１が後方側に押圧操作されると、カートリッジ移動板５は、図３に示すように、トーションバネ１０７を変位させつつ後方側に移動され、リミッタバネ８８を変位させつつローディングアーム８３を回動させる。このローディングアーム８３の回動により、スイッチ操作突起８５を介して、第１の検出スイッチ７７が操作される。
【００７１】
（３−３）ディスクカートリッジの搬入動作
第１の検出スイッチ７７が操作されることにより、モータ６４の回転駆動が開始され、カムギヤ６１が捻りコイルバネにより付勢されている図９中矢印Ｘ３方向に回転操作される。このとき、回動アーム１３６は、第３の伝達ギヤ７２を第４の伝達ギヤ６３より離間させる方向の図９中矢印Ｘ２方向に回動付勢されているが、支軸７３が第１の係合溝部１２８に係合していることにより回動が規制されている。
【００７２】
ローディングアーム８３は、扇形状板７９を介して、カムギヤ６１により後方側に回動操作され、カートリッジ移動板５を後方側に移動操作する。
【００７３】
このようにカートリッジ移動板５が後方側に移動操作されてディスクカートリッジ２２０，２２１が後方側に移送されるとき、シャッタ部材２０６，２１７は、前端部にシャッタ開放操作爪１０５が当接され、また、シャッタ閉蓋孔２０８に、シャッタ閉蓋バネ１００の係合部１０２が係合される。この状態でディスクカートリッジ２２０，２２１が後方側に移送されることにより、シャッタ部材２０６，２１７は、前端部にシャッタ開放操作爪１０５を当接させた位置で停止されているため開蓋操作される。
【００７４】
カートリッジ移動板５は、図４に示すように、カートリッジホルダ４の後方側位置まで移動操作されると、トーションバネ１０７の付勢力を受けて図４中矢印Ｂ方向の後方側に移動されるとともに、ディスクカートリッジ２２０，２２１をメカシャーシ１上に位置させている。このように、カートリッジ移動板５がカートリッジホルダ４の後方位置に移動されたとき、カムギヤ６１は、図１０に示すように、支軸７３の近傍に第１の係合溝部１２８の欠損部への開放端部を位置させている。
【００７５】
そして、カムギヤ６１がさらに回転されると、回動アーム１３６は、図１１に示すように、支軸７３がカムギヤ６１の欠損部に至り第１の係合溝部１２８より開放されるため、第２の伝達ギヤ７１に追従して、図１１中矢印Ｘ２方向に回動され、第３の伝達ギヤ７２をスライダ７４のラックギヤ部１３４に噛合させる。
【００７６】
（３−４）ディスクカートリッジのチャッキング動作
モータ６４は、カートリッジ移動板５が後方側に移動された後、さらに回転駆動し、スライダ７４を、引っ張りコイルバネ１２６の付勢力に抗して図１１及び図１２中矢印Ｘ４方向に移動させる。このとき、支軸７３は、第２の係合溝部１３３に係合されており、第３の伝達ギヤ７２のラックギヤ部１３４よりの離間を阻止している。
【００７７】
スライダ７４が引っ張りコイルバネ１２６の付勢力に抗して移動すると、カートリッジホルダ４は、回動フレーム７が図７中矢印Ｒ方向へ回動することにより、図７中矢印Ｓ方向に移動して天板３より離間する。この回動フレーム７は、当接部１５１を当接支持部４３より離間させる。各ロックアーム４４，４４は、当接部をメインフレーム２の当接部１５０より離間させる。このとき、メカシャーシ１は、フロート支持された状態となる。また、このとき、ローディングアーム８３の係合部８７が被係合溝１１１より抜け出され、ローディングアーム８３とカートリッジ移動板５との係合が解除される。
【００７８】
そして、スライダ７４は、図１３及び図５に示すように、第２の欠歯部１３５を第３の伝達ギヤ７２に対向させる位置に至ると、第２の検出スイッチ７８を操作する。この第２の検出スイッチ７８が操作されることにより、モータ６４は停止される。スライダ７４は、引っ張りコイルバネ１２６の付勢力により、第２の欠歯部１３５に臨むラックギヤ部１３４の端部を第３の伝達ギヤ７２に圧接させている。このとき、カートリッジホルダ４に保持されたディスクカートリッジ２２０，２２１は、メカシャーシ１上に位置決めされて装着されており、ディスクテーブル１２及び光学ピックアップ装置１３を有する再生部により情報信号の読み出しが可能な状態となる。
【００７９】
（３−５）ディスクカートリッジのチャッキング解除動作
上述のように、ディスクカートリッジ２２０，２２１が装着された状態において、イジェクト動作を指示する操作がなされると、モータ６４は、上述したようなディスクローディング動作時の逆の方向に回転駆動する。スライダ７４は、引っ張りコイルバネ１２６の付勢力により第２の欠歯部１３５に臨むラックギヤ部１３４の端部を第３の伝達ギヤ７２に圧接させているので、この第３の伝達ギヤ７２が回転操作されることにより、この第３の伝達ギヤ７２にラックギヤ部１３４を噛合させ、引っ張りコイルバネ１２６の付勢力を受けて図１３及び図１２中矢印Ｙ４方向に移動操作される。スライダ７４は、移動操作されることにより、第２の検出スイッチ７８に対する操作を解除する。このとき、支軸７３は、第２の係合溝部１３３に係合されており、第３の伝達ギヤ７２のラックギヤ部１３４よりの離間を阻止している。
【００８０】
そして、スライダ７４が移動されると、カートリッジホルダ４は、回動フレーム７が図６中矢印Ｏ方向へ回動することにより、図６中矢印Ｐ方向に移動して天板３に当接される。この回動フレーム７は、当接部１５１を当接支持部４３に当接させる。各ロックアーム４４，４４は、当接部をメインフレーム２の当接部１５０に当接させる。このとき、メカシャーシ１は、フロート支持による移動が規制された状態となる。このとき、ローディングアーム８３の係合部８７が被係合溝１１１に係合し、ローディングアーム８３とカートリッジ移動板５とが係合される。
【００８１】
このように、カートリッジホルダ４が天板３に当接されたとき、支軸７３は、図１１に示すように、スライダ７４が移動されることにより第２の係合溝部１３３の開放端部に位置するようになる。すると、回動アーム１３６は、図１０に示すように、第２の伝達ギヤ７１に追従して、図１０中矢印Ｙ2で示すように、第３の伝達ギヤ７２を第４の伝達ギヤ６３に噛合させる位置に回動される。
【００８２】
（３−６）ディスクカートリッジの排出動作
第３の伝達ギヤ７２が第４の伝達ギヤ６３に噛合した状態でモータ６４が回転駆動することにより、カムギヤ６１は、支軸７３を第１の係合溝部１２８内に進入させる図１０及び図９中矢印Ｙ３方向に回転操作される。回動アーム１３６は、支軸７３が第１の係合溝部１２８に係合していることにより回動が規制されている。
【００８３】
カムギヤ６１の回転により、ローディングアーム８３は、図２に示すように、扇形状板７９が回動されることによって、係合部８７を前方側となす方向に回動され、カートリッジ移動板５を前方側に移動させる。
【００８４】
このようにカートリッジ移動板５が前方側に移動操作されてディスクカートリッジ２２０，２２１が前方側に移送されるとき、シャッタ部材２０６，２１７は、シャッタ閉蓋孔２０８にシャッタ閉蓋バネ１００の係合部１０２が係合されることにより、シャッタ閉蓋孔２０８に係合部１０２を係合させた位置で停止されるため閉蓋操作が行われる。このシャッタ閉蓋バネ１００の係合部１０２は、シャッタ部材２０６，２１７が閉蓋位置に移動された後、さらに、ディスクカートリッジ２２０，２２１が前方側に移送されることにより、シャッタ閉蓋バネ１００の弾性変位によって、シャッタ閉蓋孔２０８より抜き取られる。
【００８５】
ローディングアーム８３は、カートリッジ移動板５を、カートリッジホルダ４に対する前方側まで移動させる。このとき、トーションバネ１０７は、カートリッジ移動板５を、図２中矢印Ａ方向の前方側に移動させる。なお、扇形状板７９が回動されるときに、ディスクカートリッジ２２０，２２１の前方側への排出が外力により阻止されてローディングアーム８３の回動が規制された場合には、図３に示すように、リミッタバネ８８が変位することにより、扇形状板７９の回動が阻害されることを防止する。そして、ローディングアーム８３が初期位置まで回動されることにより、スイッチ操作突起８５による第１の検出スイッチ７７に対する操作が解除される。
【００８６】
そして、カムギヤ６１は、図８に示すように、捻りコイルバネの付勢力により第１の欠歯部１３０に臨むギヤ部１２７の端部を第４の伝達ギヤ６３に圧接させた状態にて停止される。このとき、支軸７３は、第１の係合溝部１２８に係合しており、第３の伝達ギヤ７２を第４の伝達ギヤ６３に噛合させている。スライダ７４は、引っ張りコイルバネ１２６により付勢される方向の図８中矢印Ｈ方向に移動されている。
【００８７】
ディスクカートリッジ２２０，２２１は、図２０に示すように、カートリッジ移動板５とホールド板６との間に、前端部を後壁部１３９に当接させるまで挿入されており、各被係合凹部２１２，２１２に各保持突起１１７，１１７を係合させている。そして、このディスクカートリッジ２２０，２２１を後方側に引き抜くと、図１９に示すように、このディスクカートリッジ２２０，２２１は、ホールド板６が下方側に回動させつつ、カートリッジ移動板５とホールド板６との間より抜き取られる。
【００８８】
このようにして、イジェクト動作を完了したディスクローディング装置は、上記初期状態に復帰する。
【００８９】
［４］他の実施例
本発明に係るディスクローディング装置においては、カムギヤ６１は、ラックギヤ部と欠歯部とを有しスライド可能に支持された直線状のスライダに代えてもよい。また、スライダ７４は、円弧状のギヤ部と欠歯部とを有する回動可能なカムギヤに代えてもよい。
【００９０】
また、本発明に係るディスクローディング装置においては、図２６及び図２７に示すように、ホールド板６は、下面部にロック突起１４１を有するものとしてもよい。このロック突起１４１は、ホールド板６が初期位置にあるとき、すなわち、ディスクカートリッジ２２０，２２１が図２６に示すように正しく挿入操作されているか、あるいは、ディスクカートリッジ２２０，２２１が挿入操作されていないときには、カートリッジ移動板５が後方側に移動されたとき、カートリッジホルダ４の底板部１５２に対して、図２６中矢印ｄで示すような所定の距離を隔てて後方側に移動される。
【００９１】
そして、ディスクカートリッジ２２０，２２１が誤挿入されて、ホールド板６が、図２７中矢印Ｕ方向の下方側に回動されているときには、ロック突起１４１は、カートリッジ移動板５が、図２７中矢印Ｗ方向の後方側に移動されようとすると、底板部１５２の前端縁部に当接してカートリッジ移動板５の移動を阻止する。
【００９２】
そして、本発明に係るディスクローディング装置においては、図２８及び図２９に示すように、各ロックアーム４４，４４は、係合溝部１４３を有するものとしてもよい。この係合溝部１４３は、回動フレーム７が、カートリッジホルダ４を上記天板３に当接させる方向の図２９中矢印Ｏ方向にに回動され、ロックアーム４４が、回動フレーム７に追従して図２９中矢印Ｑ方向に回動されると、メインフレーム２に植設された係合ピン１４２に係合する。このとき、メカシャーシ１のメインフレーム２に対する移動が阻止される。
【００９３】
そして、この係合溝部１４３は、回動フレーム７が、カートリッジホルダ４を天板３より離間させる図２８中矢印Ｒ方向に回動され、ロックアーム４４が、回動フレーム７に追従して図２８中矢印Ｔ方向に回動されると係合ピン１４２に対する係合を解除する。
【図面の簡単な説明】
【００９４】
【図１】ディスクプレーヤに用いられる本発明に係るディスクローディング装置を示す分解斜視図である。
【図２】ディスクローディング装置を示す平面図である。
【図３】ディスクカートリッジが挿入される状態を示すディスクローディング装置の平面図である。
【図４】ディスクカートリッジをカートリッジホルダに挿入保持させた状態を示すディスクローディング装置の平面図である。
【図５】ディスクカートリッジが再生部に位置決め装着された状態を示すディスクローディング装置の平面図である。
【図６】ディスクカートリッジが再生部から離間された状態を示すディスクローディング装置の側面図である。
【図７】ディスクカートリッジが再生部に位置決め装着された状態を示すディスクローディング装置の側面図である。
【図８】ディスクローディング装置のローディング動作伝達部材及びチャッキング動作伝達部材示す平面図である。
【図９】ローディング動作伝達部材及び上記チャッキング動作伝達部材のディスク搬入操作を開始した状態、又は、ディスク排出操作の途中の状態を示す平面図である。
【図１０】ローディング動作伝達部材及びチャッキング動作伝達部材のディスク搬入操作が完了した状態、又は、ディスク排出操作が開始された状態を示す平面図である。
【図１１】ローディング動作伝達部材及びチャッキング動作伝達部材のディスク搬入操作の完了後ディスクチャッキング操作を開始する状態、又は、ディスクチャッキング解除操作を完了した状態を示す平面図である。
【図１２】ローディング動作伝達部材及びチャッキング動作伝達部材のディスクチャッキング操作を開始した状態、又は、ディスクチャッキング解除操作の途中の状態を示す平面図である。
【図１３】ローディング動作伝達部材及びチャッキング動作伝達部材のディスクチャッキング操作を完了した状態を示す平面図である。
【図１４】ローディング動作伝達部材を下面側より見た斜視図である。
【図１５】チャッキング動作伝達部材を示す斜視図である。
【図１６】チャッキング動作伝達部材を下面側より見た斜視図である。
【図１７】ローディング動作伝達部材及びチャッキング動作伝達部材を選択的に移動操作するための回動アーム及び伝達ギヤの構成を下面側より見た斜視図である。
【図１８】ディスクカートリッジが挿入保持されるカートリッジホルダを示す縦断面図である。
【図１９】カートリッジホルダにディスクカートリッジが挿入される途中の状態を示す縦断面図である。
【図２０】カートリッジホルダにディスクカートリッジを挿入した状態を示す縦断面図である。
【図２１】カートリッジホルダへディスクカートリッジが誤った方向で挿入操作された状態を示す縦断面図である。
【図２２】ディスクローディング装置によりローディングされる記録再生型のディスクカートリッジを示す斜視図である。
【図２３】ディスクローディング装置によりローディングされる再生専用型のディスクカートリッジを示す斜視図である。
【図２４】記録再生型のディスクカートリッジの下面側を示す斜視図である。
【図２５】再生専用型のディスクカートリッジの下面側を示す斜視図である。
【図２６】本発明に用いられるカートリッジホルダの他の例であって、ディスクカートリッジが挿入された状態を示す縦断面図である。
【図２７】図２６に示すカートリッジホルダにおいてディスクカートリッジが誤った方向で挿入操作された状態を示す縦断面図である。
【図２８】本発明に係るディスクローディング装置に用いられるロックアームの他の例を示す要部側面図である。
【図２９】図２８に示すロックがメカシャーシの移動を阻止している状態を示す要部側面図である。
【符号の説明】
【００９５】
４  カートリッジホルダ、５  カートリッジ移動板、６  ホールド板、１２  ディスクテーブル、１３  光学ピックアップ装置、８３  ローディングアーム、８５  スイッチ操作部、８７  係合部、１１１  被係合溝、２２０  記録再生型のディスクカートリッジ、２２１  再生専用型のディスクカートリッジ
【図１】
2006120314.tif 000003
【図２】
2006120314.tif 000004
【図３】
2006120314.tif 000005
【図４】
2006120314.tif 000006
【図５】
2006120314.tif 000007
【図６】
2006120314.tif 000008
【図７】
2006120314.tif 000009
【図８】
2006120314.tif 000010
【図９】
2006120314.tif 000011
【図１０】
2006120314.tif 000012
【図１１】
2006120314.tif 000013
【図１２】
2006120314.tif 000014
【図１３】
2006120314.tif 000015
【図１４】
2006120314.tif 000016
【図１５】
2006120314.tif 000017
【図１６】
2006120314.tif 000018
【図１７】
2006120314.tif 000019
【図１８】
2006120314.tif 000020
【図１９】
2006120314.tif 000021
【図２０】
2006120314.tif 000022
【図２１】
2006120314.tif 000023
【図２２】
2006120314.tif 000024
【図２３】
2006120314.tif 000025
【図２４】
2006120314.tif 000026
【図２５】
2006120314.tif 000027
【図２６】
2006120314.tif 000028
【図２７】
2006120314.tif 000029
【図２８】
2006120314.tif 000030
【図２９】
2006120314.tif 000031